(57)【要約】      （修正有）【課題】植栽される植物の枝、葉、花、または果実等の部位を被覆させやすく、作業のリスクを低減させるのみならず、好ましい展示効果及び鮮度保持効果を有する植栽用保護カバーを提供する。【解決手段】植栽用保護カバー２０は、生地が加工されることにより製造される基材２１と、透明フィルムが加工されることにより製造される表面材料２２と、表面材料２２に設けられ、表面材料２２の両端まで延伸される少なくとも１本のミシン目線２３と、ミシン目線２３の配置経路の箇所に設けられる間隔穴２４とを備える。植栽のために被覆された枝、葉、花、または果実等の部位に遮蔽作用が発生するほか、好ましい展示効果及び鮮度保持効果も備える。特に、ミシン目線２３及び間隔穴２４により、植栽で保護したい部位が表面材料２２と基材２１との間に挿入され、使用後にはミシン目線２３に沿って表面材料２２が全て開かれ、作業におけるリスクを低下させる。【選択図】図４
0003211301.tif 000002
【実用新案登録請求の範囲】
【請求項１】
生地が加工されることにより製造されるシート状構造体である基材と、
透明フィルムが加工されることにより製造されるシート状構造体であり、その対応し合う両側が前記基材に接合される方式で前記基材上に積層される表面材料と、
少なくとも１本のミシン目線と、
間隔穴とを備え、
前記ミシン目線は前記植栽用保護カバーの前記表面材料に設けられる前記表面材料の両端まで延伸され、
前記間隔穴は前記少なくとも１本のミシン目線の配置経路の箇所に設けられることを特徴とする植栽用保護カバー。
【請求項２】
前記表面材料の対応し合う両側は連続的に封止される形態で前記基材に接合されることを特徴とする、請求項１に記載の植栽用保護カバー。
【請求項３】
前記表面材料の対応し合う両側は間隔を空けた形態で前記基材に接合されることを特徴とする、請求項１に記載の植栽用保護カバー。
【請求項４】
各前記間隔穴は前記表面材料に近接する何れかの一端に配設されることを特徴とする、請求項１乃至３の何れか１項に記載の植栽用保護カバー。
【請求項５】
各前記間隔穴は円孔状を呈することを特徴とする、請求項１乃至３の何れか１項に記載の植栽用保護カバー。
【請求項６】
各前記間隔穴は円孔状を呈すると共に前記表面材料に近接する何れかの一端に配設されることを特徴とする、請求項１乃至３の何れか１項に記載の植栽用保護カバー。
【請求項７】
前記基材は棉材質の生地が加工されることにより製造されることを特徴とする、請求項１乃至３の何れか１項に記載の植栽用保護カバー。
【請求項８】
前記基材はウール布の生地が加工されることにより製造されることを特徴とする、請求項１乃至３の何れか１項に記載の植栽用保護カバー。
【請求項９】
前記基材は化学繊維の生地が加工されることにより製造されることを特徴とする、請求項１乃至３の何れか１項に記載の植栽用保護カバー。
【請求項１０】
前記基材は不織布が加工されることにより製造されることを特徴とする、請求項１乃至３の何れか１項に記載の植栽用保護カバー。
【考案の詳細な説明】
【技術分野】
【０００１】
本考案は、植栽用保護カバーに関し、より詳しくは、植栽される植物の枝、葉、花、または果実等の部位を被覆させやすく、作業のリスクを低減させるのみならず、好ましい展示効果及び鮮度保持効果を有する植栽用保護カバーに関する。
【背景技術】
【０００２】
生活の質及び快適性を高めるため、より多くの人々が家やオフィスのバルコニーや室内で小型の花や盆栽を栽培するようになっている。愛でて楽しむ以外、身心の疲労を癒し、仕事上のストレスを軽減させて、作業効率を高めることにも役立っている。観賞価値を有する植栽される植物の部位としては、通常色彩や造型に美観の良い枝、葉、花、または果実等がある。
【０００３】
このため、植栽される植物の栽培、輸送、または展示の過程では、価値が高い枝、葉、花、または果実等の部位を保護して、互いに摩擦したり、絡まったり、外物や外力により傷付けられないようにする必要がある。なお、従来は柔らかい紙で植栽される植物の枝、葉、花、または果実等の部位の外囲を巻いて、互いに磨擦したり、絡まって傷つかないようにしている。
【考案の概要】
【考案が解決しようとする課題】
【０００４】
しかしながら、実際の作業においては、紙の両端辺を細かく重畳させ、紙の上端も細かく折り重ね、異なる数量のペーパークリップやホチキスで固定させ、最後に紐で紙の底端を閉じる。これでは包装過程が極めて煩雑であるほか、慎重に包装しなければ植栽される植物を傷つける可能性がある。
【０００５】
さらに、植栽される植物の枝、葉、花、または果実等の部位は紙により完全に被覆された後には、展示の視覚効果が完全に失われるばかりか、通気性が低いために鮮度保持効果が低下した。特に、紙や紙袋を取り除く際に、紙や紙袋を再利用するにはまた煩雑な過程が必要な上、作業過程が増えることで植栽される植物が傷つけられるリスクがあった。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、植栽用保護カバーを提供することを目的とする。すなわち、植栽される植物の枝、葉、花、または果実等の部位を被覆させ、作業上のリスクを低下させるのみならず、好ましい展示効果及び鮮度保持効果を有する植栽用保護カバーを提供する。
【課題を解決するための手段】
【０００８】
上述した課題を解決し、目的を達成するために、本考案に係る植栽用保護カバーは、
生地が加工されることにより製造されるシート状構造体である基材と、
透明フィルムが加工されることにより製造されるシート状構造体であり、その対応し合う両側が前記基材に接合される方式で前記基材上に積層される表面材料と、少なくとも１本のミシン目線と、間隔穴とを備え、
ここでは、前記ミシン目線は前記植栽用保護カバーの前記表面材料に設けられる前記表面材料の両端まで延伸され、前記間隔穴は前記少なくとも１本のミシン目線の配置経路の箇所に設けられることを特徴とする。
【０００９】
本考案の植栽用保護カバーは使用において、植栽される植物の保護を受ける部位が表面材料と基材との間に挿入され、クリップ、輪ゴム、または紐により一端或いは両端が植栽される植物の枝に束ねられ、植栽で保護したい部位に遮蔽作用が発生し、被覆される植栽される植物の部位の好ましい展示及び鮮度保持効果を達成させる。必要に応じて、ミシン目線に沿って表面材料が間隔穴の箇所まで開かれ、植栽で保護される部位が表面材料と基材との間に挿入され、使用後にはミシン目線に沿って表面材料が全てひらかれ、より積極的で信頼性の高い手段により作業におけるリスクを低下させる。
【００１０】
好ましくは、前記表面材料の対応し合う両側は連続的に封止される形態で前記基材に接合される。
【００１１】
好ましくは、前記表面材料の対応し合う両側は間隔を空けた形態で前記基材に接合される。
【００１２】
好ましくは、各前記間隔穴は前記表面材料に近接する何れかの一端に配設される。
【００１３】
好ましくは、各前記間隔穴は円孔状を呈する。
【００１４】
好ましくは、各前記間隔穴は円孔状を呈すると共に前記表面材料に近接する何れかの一端に配設される。
【００１５】
好ましくは、前記基材は棉材質の生地が加工されることにより製造される。
【００１６】
好ましくは、前記基材はウール布の生地が加工されることにより製造される。
【００１７】
好ましくは、前記基材は化学繊維の生地が加工されることにより製造される。
【００１８】
好ましくは、前記基材は不織布が加工されることにより製造される。
【考案の効果】
【００１９】
本考案の植栽用保護カバーは、基材及び表面材料の設計により、植栽される植物の枝、葉、花、または果実等の部位が被覆され、植栽される植物の枝、葉、花、または果実等の部位の遮蔽作用が発生する以外、好ましい展示効果および鮮度保持効果も得られる。特に、ミシン目線及び間隔穴の設計により、植栽で保護したい部位が表面材料と基材との間に挿入され、使用後にはミシン目線に沿って表面材料が全て開かれ、より積極的で信頼性の高い手段により作業におけるリスクを低下させる。
【図面の簡単な説明】
【００２０】
【図１】本考案の好ましい実施形態による植栽用保護カバーを示す使用配置の参考図である。
【図２】本考案の第１実施形態による植栽用保護カバーを示す外観構成図である。
【図３】本考案の植栽用保護カバーを示す展開図である。
【図４】本考案の植栽用保護カバーを示す作業方式の概略図である。
【図５】本考案の第２実施形態による植栽用保護カバーを示す外観構成図である。
【考案を実施するための形態】
【００２１】
以下、図面を参照して本考案に係る植栽用保護カバーの実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００２２】
以下、本考案の具体的な実施形態について添付図面に基づき説明する。まず、本考案は図１に示すように、植栽される植物１０の枝、葉、花、または果実等の部位を被覆させて、作業上のリスクを低下させ、同時に、好ましい展示効果及び鮮度保持効果を達成させる植栽用保護カバー２０である。図１乃至図３を参照すれば、本考案の植栽用保護カバー２０は基材２１及び表面材料２２を備える。
【００２３】
前記基材２１は生地が加工されることにより製造されるシート状構造体である。実施において、前記基材２１は棉材質の生地、ウール布材質の生地、化学繊維の生地、または不織布が加工されることにより製造され、主に好ましい通気性及び保水性により好ましい鮮度保持効果を達成させる。
【００２４】
なお、前記表面材料２２は透明フィルムが加工されることにより製造されるシート状構造体であり、前記表面材料２２は対応し合う両側が前記基材２１に接合される方式により前記基材２１上に重置され、主に透明な表面材料２２により好ましい展示効果を達成させる。
【００２５】
実施において、前記表面材料２２の対応し合う両側は連続的に封止される形態で前記基材２１に接合される(図２参照)。当然ながら、前記表面材料２２の対応し合う両側は間隔を空けた形態で前記基材２２と接合されてもよい(図５参照)。
【００２６】
そして、本考案の植栽用保護カバー２０は前記表面材料２２に前記表面材料の両端まで延伸される少なくとも１本のミシン目線２３が設けられ、且つ前記少なくとも１本のミシン目線２３の配置経路の箇所には間隔穴２４が設けられる。主に間隔穴２４の設計により間隔穴２４を通るミシン目線２３が１回で完全に開かれないように制限させる(図４参照)。
【００２７】
原則上、本考案の植栽用保護カバーは使用において、図１及び図４に示すように、植栽される植物１０の保護を受ける枝、葉、花、または果実等の部位は、その一端が表面材料２２と基材２１との間に挿入され、クリップ３０、輪ゴム、または紐によりその一端或いは両端が植栽される植物１０の枝に束ねられ、植栽される植物１０の被覆される枝、葉、花、または果実等の部位が磨擦したり、絡まることを防止させる遮蔽作用を発生させる。
【００２８】
また、表面材料２２及び基材２１の設計により、被覆される植栽される植物１０の部位の好ましい展示及び鮮度保持効果を達成させる。必要に応じて、ミシン目線２３に沿って表面材料２２が間隔穴２４の箇所まで開かれる（図４参照）。植栽される植物１０の保護を受ける部位が表面材料２２と基材２１との間に挿入され、使用後にはミシン目線２３に沿って表面材料が全て開かれるより積極的で信頼性の高い手段により作業におけるリスクを低下させる。
【００２９】
本考案の植栽用保護カバーは、上記の実施可能な構造形態において、各前記間隔穴２４が前記表面材料２２に近接する何れかの一端に配設される。各前記間隔穴２４は円孔状を呈する。当然ながら、各前記間隔穴２４は、円孔状を呈すると共に前記表面材料２２に近接する何れかの一端に配設される構造形態を呈することが好ましい。
【００３０】
具体的には、本考案に係る植栽用保護カバーは、基材及び表面材料の設計により、植栽される植物の枝、葉、花、または果実等の部位が被覆され、植栽される植物の枝、葉、花、または果実等の部位の遮蔽作用を発生させるほか、好ましい展示効果及び鮮度保持効果をも達成させる。特に、ミシン目線及び間隔穴の設計により、植栽で保護したい部位が表面材料と基材との間に挿入され、使用後にはミシン目線に沿って表面材料が全て開かれ、より積極的で信頼性の高い手段により作業におけるリスクを低下させる。
【００３１】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３２】
１０  植栽される植物
２０  植栽用保護カバー
２１  基材
２２  表面材料
２３  ミシン目線
２４  間隔穴
３０  クリップ
【図１】
0003211301.tif 000003
【図２】
0003211301.tif 000004
【図３】
0003211301.tif 000005
【図４】
0003211301.tif 000006
【図５】
0003211301.tif 000007
【手続補正書】
【提出日】平成29年5月8日(2017.5.8)
【手続補正１】
【補正対象書類名】実用新案登録請求の範囲
【補正対象項目名】全文
【補正方法】変更
【補正の内容】
【実用新案登録請求の範囲】
【請求項１】
植栽用保護カバーであって、
生地が加工されることにより製造されるシート状構造体である基材と、
透明フィルムが加工されることにより製造されるシート状構造体であり、その対応し合う両側が前記基材に接合される方式で前記基材上に積層される表面材料と、
少なくとも１本のミシン目線と、
間隔穴とを備え、
前記ミシン目線は前記植栽用保護カバーの前記表面材料に設けられる前記表面材料の両端まで延伸され、
前記間隔穴は前記少なくとも１本のミシン目線の配置経路の箇所に設けられることを特徴とする植栽用保護カバー。
【請求項２】
前記表面材料の対応し合う両側は連続的に封止される形態で前記基材に接合されることを特徴とする、請求項１に記載の植栽用保護カバー。
【請求項３】
前記表面材料の対応し合う両側は間隔を空けた形態で前記基材に接合されることを特徴とする、請求項１に記載の植栽用保護カバー。
【請求項４】
各前記間隔穴は前記表面材料に近接する何れかの一端に配設されることを特徴とする、請求項１乃至３の何れか１項に記載の植栽用保護カバー。
【請求項５】
各前記間隔穴は円孔状を呈することを特徴とする、請求項１乃至３の何れか１項に記載の植栽用保護カバー。
【請求項６】
各前記間隔穴は円孔状を呈すると共に前記表面材料に近接する何れかの一端に配設されることを特徴とする、請求項１乃至３の何れか１項に記載の植栽用保護カバー。
【請求項７】
前記基材は棉材質の生地が加工されることにより製造されることを特徴とする、請求項１乃至３の何れか１項に記載の植栽用保護カバー。
【請求項８】
前記基材はウール布の生地が加工されることにより製造されることを特徴とする、請求項１乃至３の何れか１項に記載の植栽用保護カバー。
【請求項９】
前記基材は化学繊維の生地が加工されることにより製造されることを特徴とする、請求項１乃至３の何れか１項に記載の植栽用保護カバー。
【請求項１０】
前記基材は不織布が加工されることにより製造されることを特徴とする、請求項１乃至３の何れか１項に記載の植栽用保護カバー。